(57)【要約】【課題】  ぜんまいで駆動されたオルゴールにリードスイッチを含む同調装置で駆動回路を作動し、音楽にリズムを合わせて発光、人形などの舞踊が観賞できる、同調装置付きオルゴールの提供。【解決手段】  上記の機能を持つオルゴールとして、ぜんまいで駆動せれる動力装置と、１つの表面に既定の楽譜の音名に対応する突起を有したローラーと、長短不同の音階棒が配列された一枚の音階板とからなる音楽装置を含み、ローラーが動力装置に駆動されて回転する際、その突起で音階棒を軽打して音楽を奏し、同調装置にはローラーと同軸にて、一緒に回転する、周囲に数本の押し棒を備えた回転盤と、駆動回路を制御するリードスイッチとを含み、押し棒でリードスイッチを触圧して、駆動回路に接続された発光ダイオードを動作させる、またはモーターを起動させる同調装置付きオルゴール。【選択図】図１Ａ
0003111677.tif 000002
【実用新案登録請求の範囲】
【請求項１】
同調装置付きのオルゴールにおいて、
ぜんまいで駆動する動力装置と、
１つの表面に既定の楽譜の音名に対応する突起を有したローラーと、
長短不同の音階棒を配列した１枚の音階板とからなる音楽装置を含み、
前記ローラーが前記動力装置に駆動されて回転する際、その突起で前記音階棒を軽打して音楽を奏し、
前記同調装置は、前記ローラーと同軸にて、一緒に回転する、周囲に数本の押し棒を備えた回転盤と、駆動回路を制御するリードスイッチからなり、
前記押し棒で前記リードスイッチを触圧して、前記駆動回路に接続した電気部品である発光ダイオード（ＬＥＤ）を点灯、モーターを起動することを特徴とする、
同調装置付きのオルゴール。
【請求項２】
前記駆動回路は、前記リードスイッチが前記押し棒から一定の時間離脱しても、再び触圧されなく、
または、前記押し棒から触圧されて一定時間を経過しても解放されない場合、即時に前記駆動回路の動作を停止させ、全装置の不当動作を未然に阻止する時限設定装置を備えていることを特徴とする、
請求項１に記載の同調装置付きのオルゴール。
【請求項３】
前記時限設定装置の動作にはタイムラグ（time lag）の調整が可能で、前記押し棒の動作時間と協調し、前記駆動回路に持続して、通電し、断続して出力せしめることを特徴とする、
請求項２に記載の同調装置付きのオルゴール。
【請求項４】
前記同調装置を前記駆動回路の一端に取り付け、前記同調装置のリードスイッチを前記駆動回路の上に乗置し、
前記音楽装置の上面に少なくとも１つの突起を設けて、
前記リードスイッチの回転軌道上でリードスイッチと遭遇するように取り付け、
回転するリードスイッチが前記の突起に触圧されて、前記駆動回路を作動し、接続した発光ダイオード（ＬＥＤ）を動作することを特徴とする、
請求項１に記載の同調装置付きのオルゴール。
【考案の詳細な説明】
【技術分野】
【０００１】
本考案は、ぜんまいで駆動するオルゴールに関するもので、特にオルゴールに組み込まれたリードスイッチで駆動回路を動作させ、音楽とリズムを合わせて発光、人形などの舞踊が観賞できる同調装置付きのオルゴールに関するものである。
【背景技術】
【０００２】
オルゴールは歴史の長い愛玩物で、機械式のぜんまいを動力源とし美妙な音声を発し、愛玩者の心情を陶然たらしめるものである。
過去のオルゴールはただ、音楽を奏するだけで、官能の刺激を強く要求する現代人にはもの足らなくなってきた。
やや高級なオルゴールは音楽に合わせて人形などを踊らせることができるが、このようなオルゴールは通常、その製作を手工に頼んでいて、コストが高く、一般向きでないので、この方面の産業の発展には不向きである。
【０００３】
現今の電子技術の発展の波に乗り、坊間にも幾多の電子式オルゴールが出回ってきた。電子工学がもたらす新奇の作用で、ごく小さいオルゴールでもいろいろな音楽が奏し得るようになってきたが、概して電子式のオルゴールの音色は、機械式のオルゴールに比べて一段下がる。これは電子ピアノにも当てはまる事実である。
【０００４】
台湾特許案第８２２１０９１６号に「音声を発する機械装置を利用したフリッカー・スイッチ」という実用新案（以下、引用案と呼称する）が発表された。この引用案には音声を発生するスイッチと同時に触発されるフリッカーを発する点滅スイッチを備えていて、音声と発光の二重効果で装置を多彩にしている。
然るにオルゴールの発声は必ずしも一定の間隔を置いてなされるものではないので、それに伴うフリッカーの発光時間も長短不一となり、音楽の休止符の時間帯において発光も間断され、理想的ではない。
且つ引用案にかかわるオルゴールの作動は伝統的な、ローラーの突起で音階棒を触圧して発声させる方式であって、突起の幾何学的構造とその精密度の如何により、突点と音階棒の接触が不良となり、発光しなくなる場合もある。
なお、動作停止の際、突点がちょうど音階棒と接触した状態にある場合、光が消えなくなり、具合が悪いものである。
【考案の開示】
【考案が解決しようとする課題】
【０００５】
本考案の目的は、従来のオルゴールに同調装置と付加して、音楽の演奏に、発光や人形などの舞踊を伴うような、面白い同調装置付きのオルゴールの提供をすることである。
【０００６】
本考案のもう１つの目的は、使用個所や使用状態に応じて、いろいろなサイズや形態を持った、適用範囲の広い、同調装置付きのオルゴールの提供をすることである。
【０００７】
本考案の更に１つの目的は、構造が簡単で機能が高い、実用的で大量生産に適する、同調装置付きのオルゴールの提供をすることである。
【課題を解決するための手段】
【０００８】
上記のような課題を解決するために、本願の第１考案は、同調装置付きのオルゴールにおいて、ぜんまいで駆動する動力装置と、１つの表面に既定の楽譜の音名に対応する突起を有したローラーと、長短不同の音階棒を配列した１枚の音階板とからなる音楽装置を含み、前記ローラーが前記動力装置に駆動されて回転する際、その突起で前記音階棒を軽打して音楽を奏し、前記同調装置は、前記ローラーと同軸にて、一緒に回転する、周囲に数本の押し棒を備えた回転盤と、駆動回路を制御するリードスイッチからなり、前記押し棒で前記リードスイッチを触圧して、前記駆動回路に接続した電気部品である発光ダイオード（ＬＥＤ）を点灯、モーターを起動することを特徴とする、同調装置付きのオルゴールである。
【０００９】
本願の第２考案は、前記駆動回路は、前記リードスイッチが前記押し棒から一定の時間離脱しても、再び触圧されなく、または、前記押し棒から触圧されて一定時間を経過しても解放されない場合、即時に前記駆動回路の動作を停止させ、全装置の不当動作を未然に阻止する時限設定装置を備えていることを特徴とする、第１考案に記載の同調装置付きのオルゴールである。
【００１０】
本願の第３考案は、前記時限設定装置の動作にはタイムラグ（time lag）の調整が可能で、前記押し棒の動作時間と協調し、前記駆動回路に持続して、通電し、断続して出力せしめることを特徴とする、第２考案に記載の同調装置付きのオルゴールである。
【００１１】
本願の第４考案は、前記同調装置を前記駆動回路の一端に取り付け、前記同調装置のリードスイッチを前記駆動回路の上に乗置し、前記音楽装置の上面に少なくとも１つの突起を設けて、前記リードスイッチの回転軌道上でリードスイッチと遭遇するように取り付け、回転するリードスイッチが前記の突起に触圧されて、前記駆動回路を作動し、接続した発光ダイオード（ＬＥＤ）を動作することを特徴とする、第１考案に記載の同調装置付きのオルゴール。
【００１２】
上記の目的を果たすオルゴールとして本考案は、ぜんまいで駆動される動力装置と、１つの表面に既定の楽譜の音名に対応する突起を有したローラーと、長短不同の音階棒が配列された１枚の音階板とからなる音楽装置を含み、ローラーが動力装置に駆動されて回転する際、その突起で音階棒を軽打して音楽を奏し、同調装置にはローラーと同軸にて、一緒に回転する周囲に数本の押し棒を備えた回転盤と、駆動回路を制御するリードスイッチ（reed switch）からなり、押し棒でリードスイッチを触圧して駆動回路に接続された電気部品である発光ダイオード（ＬＥＤ）を動作させ、モーターを起動させる同調装置付きのオルゴールを提供した。
【００１３】
また、駆動回路に時限設定装置を備え、適当なタイムラグの調整で装置の不適当な動作を防止したり、発光素子を動作させ明滅させたりすることも可能なようにした。
【考案の効果】
【００１４】
本考案に係る同調装置付きのオルゴールは上述の引用案やその他従来のオルゴールと比べて、声、光、動きの協調がよく取れ、使用者が音楽のリズムに合わせた光の明滅や装飾品の動きを享受でき、愛玩品としての効果は十分なものである。
また、複雑の設計を必要とせず、いろいろ変化に富む形態に応用可能で、個人の賞玩物に、或いは室内を飾る置物などに、嗜好に応じて好適に利用できるものである。
【考案を実施するための最良の形態】
【００１５】
図１Ａから１Ｃを参照する。本考案に係るぜんまい式のオルゴールには動力装置１と音楽装置２が含まれている。動力装置１は機械式のぜんまい機構であり、そのロータリースイッチ１１でぜんまいを巻き、ばね回復力で音楽装置２を作動するのである。
その駆動装置である動力装置１に連結された音楽装置２には１つのローラー２１と、１枚の音階板２２とが含まれている。
ローラー２１の表面には既定の楽譜の音名に対応する一連の突起２１１があり、ローラー２１が回転すれば、これらの突起２１１は、音階板２２上に配列された長短不同の音階棒２２１を軽打して既定の音楽を奏するのである。
同調装置４の設置は本考案に最大の特徴であり、この中に回転盤４１とリードスイッチ４２を含んでいる。周囲に数本の押し棒４１１を備えた回転盤４１はローラー２１と同軸にて一緒に回転し、リードスイッチ４２は駆動回路３と結合されてこれを制御する。
電池３１を動力源とする駆動回路３は、ＬＥＤ３２を動作させたり、モーター３３などの電気部品を駆動して、音楽に伴い動作されるのである。
押し棒４１１はリードスイッチ４２を触圧して駆動回路３を制御する信号を発し、押し棒４１１がリードスイッチ４２を触圧しない場合は、駆動回路３の動作は停止する。このように駆動回路３と、音楽装置２とは協調して動作するのである。
【００１６】
図１Ｄを参照する。前記の駆動回路３は時限設定装置３４が含まれてあり、そのタイムラグの設定により、押し棒４１１がリードスイッチ４２から離脱したあとも、駆動回路３は一定時間内動作を続行する。
タイムラグは時限設定装置３４内に取り付けられた抵抗３４１により設定され、タイムラグの時間の長短は抵抗３４１の値を変えればよいのである。
リードスイッチ４２の開閉により、ＬＥＤ３２やモーター３３が動作し、リードスイッチ４２の動作の停止後、一定のタイムラグを経てＬＥＤ３２やモーター３３も動作を停止する。
【００１７】
図1Ｅ、１Ｆ、１Ｇを参照する。この実施例では押し棒４１１はａ、ｂ、ｃ、ｄの順序でリードスイッチ４２を触圧し、駆動回路３を作動する。
リードスイッチ４２がオフになった後も、設定されたタイムラグｔの間、駆動回路３は押し棒４１１の触圧に応じて断続的に出力する。
タイムラグｔが、押し棒４１１がリードスイッチ４２を触圧する時間より長いか、または同じの場合、ＬＥＤ３２とモーター３３は持続して点灯、動作するが、ｔが押し棒４１１の触圧時間よりも短い場合、ＬＥＤ３２は明滅し、モーター３３は間歇的に動作する。
なお、駆動回路３はタイムラグｔの後、電源を遮断されるので、押し棒４１１が音楽装置２の動作停止の後、引き続き、リードスイッチ４２を触圧しても、駆動回路３はタイムラグtを経て自動的に停止し、無意味な動作を続けることを避け、音楽装置２と充分協調した動作効果が得られる。
【００１８】
図２Ａ、２Ｂ、３Ａ、３Ｂを参照する。本考案の駆動回路３はＬＥＤ３２とモーター３３だけと接続して、音楽のリズムに伴い、ＬＥＤ３２を明滅させ、モーター３３と連結した人形を踊らせ、豆列車やその他の玩具を動かしたりする。
場合によっては１組以上のＬＥＤ３２、モーター３３やその他の電気部品と接続して音楽装置と協調して動作させることも可能であり、派手でしかも実用性に富んだ効果がある。
【００１９】
図４に本考案に係る、同調装置付きのオルゴールのもう１つの実施例を挙げた。この実施例では同調装置４を駆動回路３の一端に取り付け、リードスイッチ４２を駆動回路３の上に乗置し、音楽装置２の上面に少なくとも１つの突起２３を設けて、リードスイッチ４２の回転軌道上でリードスイッチ４２と遭遇するように取り付け、回転するリードスイッチ４２が突起２
３に触圧されて駆動回路３を作動し、接続されているＬＥＤ３２を動作させるのである。
【図面の簡単な説明】
【００２０】
【図１Ａ】本考案に係る同調装置付きのオルゴールの上面図である。
【図１Ｂ】本考案に係る同調装置付きのオルゴールの側面図である。
【図１Ｃ】本考案に係る同調装置付きのオルゴールの底面図である。
【図１Ｄ】本考案に係る同調装置付きのオルゴールの駆動回路図である。
【図１Ｅ】本考案に係る同調装置付きのオルゴールの回転盤の動作説明図(1)である。
【図１Ｆ】本考案に係る同調装置付きのオルゴールの回転盤の動作説明図(2)である。
【図１Ｇ】本考案に係る同調装置付きのオルゴールの駆動回路動作のシーケンス図である。
【図２Ａ】本考案に係る同調装置付きオルゴールにＬＥＤのみを接続した構造図である。
【図２Ｂ】本考案に係る同調装置付きオルゴールにＬＥＤのみを接続した駆動回路図である。
【図３Ａ】本考案に係る同調装置付きオルゴールにモーターだけを接続した構造の頂面図である。
【図３Ｂ】本考案に係る同調装置付きオルゴールにモーターだけを接続した構造の駆動回路図である。
【図４】本考案に係る同調装置付きのオルゴールのもう１つの実施例図である。
【符号の説明】
【００２１】
１：動力装置                    １１：ロータリースイッチ
２：音楽装置                    ２１：ローラー
２１１：突起                    ２２：音階板
２３：突起                      ２２１：音階棒
３：駆動回路                    ３１：電池
３２：ＬＥＤ                    ３３：モーター
３４：時限設定装置              ３４１：抵抗
４：同調装置                    ４１：回転盤
４１１：押し棒                  ４２：リードスイッチ
【図１Ａ】
0003111677.tif 000003
【図１Ｂ】
0003111677.tif 000004
【図１Ｃ】
0003111677.tif 000005
【図１Ｄ】
0003111677.tif 000006
【図１Ｅ】
0003111677.tif 000007
【図１Ｆ】
0003111677.tif 000008
【図１Ｇ】
0003111677.tif 000009
【図２Ａ】
0003111677.tif 000010
【図２Ｂ】
0003111677.tif 000011
【図３Ａ】
0003111677.tif 000012
【図３Ｂ】
0003111677.tif 000013
【図４】
0003111677.tif 000014